(57)【要約】【課題】光源ユニットを容易に組み立てることができる照明器具を提供する。【解決手段】照明器具10は、光源ユニット12、取付ユニット13、および器具本体11を備える。光源ユニット12は、発光部42を有する。取付ユニット13は、光源ユニット12を発光部42に沿った方向にスライドさせて取り付ける。器具本体11は、取付ユニット13を取り付けるとともに、取付ユニット13の取付状態で取付ユニット13に対して光源ユニット12がスライドして外れるのを規制する。【選択図】図１
2015162368.tif 000002
【特許請求の範囲】
【請求項１】
発光部を有する光源ユニットと；
前記光源ユニットを前記発光部に沿った方向にスライドさせて取り付ける取付ユニットと；
前記取付ユニットを取り付けるとともに、前記取付ユニットの取付状態で前記取付ユニットに対して前記光源ユニットがスライドして外れるのを規制する器具本体と；
を具備することを特徴とする照明器具。
【請求項２】
前記器具本体は、光源収納部を有する枠体を有し、前記光源収納部に前記取付ユニットおよび前記光源ユニットを収納し、前記枠体で前記取付ユニットに対して前記光源ユニットがスライドして外れるのを規制する
ことを特徴とする請求項１記載の照明器具。
【発明の詳細な説明】
【技術分野】
【０００１】
本発明の実施形態は、光源ユニットを用いた照明器具に関する。
【背景技術】
【０００２】
従来、例えばシステム天井等に設置される照明器具では、光源としてＬＥＤを有する光源ユニットが用いられてきている。
【０００３】
光源ユニットを器具本体に配置するには、器具本体に取り付けられた受台に光源ユニットをねじ止め固定している。
【先行技術文献】
【特許文献】
【０００４】
【特許文献１】特開２０１４−２８６０号公報
【発明の概要】
【発明が解決しようとする課題】
【０００５】
従来は、光源ユニットをねじ止め固定するため、組立に手間がかかっている。
【０００６】
本発明が解決しようとする課題は、光源ユニットを容易に組み立てることができる照明器具を提供することである。
【課題を解決するための手段】
【０００７】
実施形態の照明器具は、光源ユニット、取付ユニット、および器具本体を備える。光源ユニットは、発光部を有する。取付ユニットは、光源ユニットを発光部に沿った方向にスライドさせて取り付ける。器具本体は、取付ユニットを取り付けるとともに、取付ユニットの取付状態で取付ユニットに対して光源ユニットがスライドして外れるのを規制する。
【発明の効果】
【０００８】
本発明によれば、光源ユニットを取付ユニットにスライドさせて取り付けることができるため、光源ユニットを容易に組み立てることができ、しかも、取付ユニットを器具本体に取り付けた状態では、器具本体により取付ユニットに対して光源ユニットがスライドして外れるのを規制するため、光源ユニットを容易に組み立てることができる構造でありながら、器具本体への組立状態では光源ユニットを確実に保持することが期待できる。
【図面の簡単な説明】
【０００９】
【図１】一実施形態を示す照明器具の上側から見る斜視図である。
【図２】同上照明器具の下側から見る斜視図である。
【図３】同上照明器具の光源ユニットの分解状態の斜視図である。
【図４】同上照明器具の光源ユニットおよび取付ユニットの斜視図である。
【図５】同上照明器具の光源ユニットを取付ユニットに取り付けた状態を示す斜視図である。
【図６】同上光源ユニットの長手方向に対応した照明器具の断面図である。
【図７】同上光源ユニットの幅方向に対応した照明器具の断面図である。
【発明を実施するための形態】
【００１０】
以下、一実施形態を、図１ないし図７を参照して説明する。
【００１１】
図１および図２に示すように、照明器具10は、器具本体11、この器具本体11に配置される光源ユニット12、この光源ユニット12を器具本体11に取り付ける取付ユニット13、配光を制御するバッフルユニット14、および光源ユニット12に電力を供給する電源ユニット15等を備えている。
【００１２】
そして、器具本体11は、天井に配設されるシステム天井のチャンネルや吊ボルト等に取り付けられる。
【００１３】
器具本体11は、例えば金属製であり、一対のシャーシ17、および一対のシャーシ17の両端を連結する一対の側板18を備えている。これら一対のシャーシ17および一対の側板18によって、正方形を含む四角形状の枠体19が構成されている。
【００１４】
一対のシャーシ17は、天板部20、およびこの天板部20の幅方向両側の側板部21を備え、幅方向の断面形状が下方に向けて開口する断面略コ字形に形成されている。天板部20には、複数の通気口22が形成されている。また、側板18は、一対のシャーシ17の長手方向の両端に連結されている。そして、各シャーシ17の内側に光源収納部23が形成され、一対のシャーシ17の間にスピーカ等の設備を収納するための設備収納部24が形成されている。
【００１５】
また、図３ないし図５に示すように、光源ユニット12は、細長く形成されている。光源ユニット12は、ユニット本体27、このユニット本体27の下面に取り付けられる発光モジュール28、発光モジュール28を覆ってユニット本体27に取り付けられる透光カバー29、および光源ユニット12を取付ユニット13に取り付けるための取付部材30を備えている。
【００１６】
ユニット本体27は、例えば金属製であり、平板状の基部32、および幅方向両側に立ち上げられた縁部33を備えている。縁部33の上端は幅方向外側に向けて屈曲されて突出されている。縁部33の長手方向両端近傍であって取付部材30の取付位置には、取付部材30を係止する係止孔34が形成されている。
【００１７】
発光モジュール28は、基板36、およびこの基板36の表面に実装された複数の発光素子37を備えている。発光素子37は、例えばＬＥＤや有機ＥＬ等が用いられる。そして、基板36の裏面がユニット本体27の基部32の下面に熱的に接触した状態で取り付けられている。
【００１８】
透光カバー29は、透光性および光拡散性を有している。透光カバー29は、カバー本体39、およびこのカバー本体39の長手方向両端を覆って取り付けられる端面カバー部40を備えている。カバー本体39の幅方向両側には、ユニット本体27の縁部33に外側から嵌合されて取り付けられる嵌合部41が形成されている。そして、透光カバー29が、発光モジュール28の発光素子37の光が透過して光る発光部42として構成されている。
【００１９】
取付部材30は、例えば、金属製であり、金属板をプレス加工して形成されている。取付部材30は、ユニット本体27の縁部33と透光カバー29の嵌合部41とを外側から挟み込む一対の挟持部44、および一対の挟持部44を連結する連結部45を備えている。ユニット本体27の縁部33側に配置される各挟持部44の内側部分には、縁部33の係止孔34に引っ掛かってユニット本体27から外れ止めされる爪部46が設けられている。各挟持部44には幅方向外側へ向けて突出する突出部47が設けられている。突出部47は、ユニット本体27の長手方向に沿って幅広に形成されているとともに、先端側が下方へ向けて湾曲するように形成されている。
【００２０】
また、図４および図５に示すように、取付ユニット13は、一対の反射板50、および一対の反射板50を連結する取付台51を備えている。
【００２１】
反射板50は、光源ユニット12の長手方向の長さに対応した長さに形成されている。反射板50は、取付台51に取り付けられる略鉛直方向に沿った支持板部53、およびこの支持板部53の下端から斜め下方に突出された反射板部54を備えている。
【００２２】
反射板50の長手方向両端近傍であって光源ユニット12の取付部材30の取付位置には、突出部47がスライドして取り付けられる溝部55が形成されている。溝部55は、支持板部53および支持板部53の一部に亘って形成される挿入溝56、およびこの挿入溝56の上部から反射板50の長手方向の一方向へ向けて連通する係止溝57を有している。挿入溝56には、突出部47が下方から挿入可能とされている。係止溝57は、挿入溝56に挿入された突出部47がスライドして嵌合可能とされている。
【００２３】
取付台51は、例えば、金属製であり、金属板をプレス加工して形成されている。取付台51は、各反射板50の支持板部53にねじ止め等によって固定される一対の固定板部59、一対の固定板部59の下端を連結する連結板部60、および各固定板部59の上端から幅方向外側へ向けて突出する取付板部61を備えている。取付板部61が器具本体11（シャーシ17）の天板部20にねじ止め等により取り付けられる。
【００２４】
取付台51によって連結された一対の反射板50は、下方へ向けて拡開するように配置されている。
【００２５】
また、図２、図６および図７に示すように、バッフルユニット14は、複数のバッフル板64、およびこれらバッフル板64を一体に連結する連結部65を備えている。バッフルユニット14は、シャーシ17の光源収納部23の下部に配置され、連結部65がシャーシ17に取り付けられている。
【００２６】
また、電源ユニット15は、シャーシ17の天板部20の下面に取り付けられている。電源ユニット15は、交流電力を所定の直流電力に変換して光源ユニット12の発光モジュール28に供給する。
【００２７】
そうして、このように構成された照明器具10を組み立てるには、光源ユニット12と取付ユニット13とを予め組み立ててから器具本体11の光源収納部23に取り付け、さらに、バッフルユニット14を器具本体11の光源収納部23に取り付ける。また、組立過程で、光源ユニット12と電源ユニット15とを電気的に接続する。
【００２８】
取付ユニット13の反射板50と器具本体11との間に隙間があり、その隙間と、天板部20の通気口22と、器具本体11の下面開口とを通じて、空調のための空気が流通する通気路が形成される。
【００２９】
そして、光源ユニット12を器具本体11に組み立てるには、図４において、取付ユニット13の溝部55の挿入溝56と光源ユニット12の突出部47と位置合わせして、取付ユニット13と光源ユニット12とを上下から組み合わせ、挿入溝56に突出部47を挿入する。この状態で、取付ユニット13の反射板50の支持板部53間に、光源ユニット12の取付部材30の挟持部44および透光カバー29の嵌合部41が嵌り込む。
【００３０】
図５に示すように、取付ユニット13に対して光源ユニット12を相対的に一方向にスライドさせ、溝部55の係止溝57に突出部47を嵌め込む。この状態で、取付ユニット13と光源ユニット12とが仮止めされるとともに、取付ユニット13および光源ユニット12の長手方向の両端位置が略一致する。
【００３１】
組み立てた取付ユニット13および光源ユニット12を器具本体11の光源収納部23に挿入し、取付ユニット13の取付台51を器具本体11の天板部20に固定する。
【００３２】
図６に示すように、取付ユニット13によって器具本体11内に配置された光源ユニット12は、その光源ユニット12の長手方向両端が側板18に近接対向し、取付ユニット13に対する長手方向への移動が規制された状態となる。なお、器具本体11内に光源ユニット12を配置可能とするために、器具本体11の側板18と光源ユニット12の長手方向の端部との間には隙間があるが、その隙間の寸法は突出部47が係止溝57から外れる寸法よりも小さい。
【００３３】
そのため、光源ユニット12が取付ユニット13から外れる方向にスライドして、突出部47が係止溝57から外れるようなことがなく、光源ユニット12が取付ユニット13に取り付けられた状態が保持される。
【００３４】
このように本実施形態の照明器具10によれば、光源ユニット12を取付ユニット13にスライドさせて取り付けることができるため、光源ユニット12を容易に組み立てることができ、しかも、取付ユニット13を器具本体11に取り付けた状態では、器具本体11により取付ユニット13に対して光源ユニット12がスライドして外れるのを規制するため、光源ユニット12を容易に組み立てることができる構造でありながら、器具本体11への組立状態では光源ユニット12を確実に保持することができる。
【００３５】
また、器具本体11の枠体19の光源収納部23に取付ユニット13および光源ユニット12を収納するだけの簡単な構成で、枠体19で取付ユニット13に対して光源ユニット12がスライドして外れるのを規制することができる。
【００３６】
なお、光源ユニット12の突出部47と取付ユニット13の溝部55とは逆に設けてもよい。
【００３７】
また、器具本体11の枠体19の光源収納部23に取付ユニット13および光源ユニット12を収納する構造であれば、上述した照明器具10の構造に限らず、例えば細長い器具構造にも適用することができる。
【００３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
10    照明器具
11    器具本体
12    光源ユニット
13    取付ユニット
19    枠体
23    光源収納部
42    発光部
【図１】
2015162368.tif 000003
【図２】
2015162368.tif 000004
【図３】
2015162368.tif 000005
【図４】
2015162368.tif 000006
【図５】
2015162368.tif 000007
【図６】
2015162368.tif 000008
【図７】
2015162368.tif 000009